(57)【特許請求の範囲】
【請求項１】
周囲が対向配置された２組の対向側板によって囲まれて少なくとも上面が開放され、内部に被梱包物を収容する平面視長方形の箱状の本体部と、
前記２組の対向側板のうち、前記本体部の平面視長辺方向に対向する１組の対向側板の上端に連設されて先に折り曲げられる１組の内側フラップと、
前記２組の対向側板のうち、前記本体部の平面視短辺方向に対向する１組の対向側板の上端に連設されて前記１組の内側フラップの上側に折り曲げられ、先端が突き合わされて該本体部の上面を覆うと共に、突き合わされた先端を挟んで相対向するように押し込まれる１組の押し込み片を形成するための手掛け穴用切り込み線が各々に設けられ、前記１組の押し込み片を押し込んだ状態において、前記本体部の平面視長辺方向に長い長穴状の１組の手掛け穴が形成される１組の外側フラップと、
前記被梱包物の上方に配置されると共に、前記１組の押し込み片の下方に配置されて、該１組の押し込み片が押し込まれた際に、各押し込み片によって内側方向へ押されて側面視Ｖ字状に変形される台紙と、
前記台紙の上側面の前記１組の押し込み片のうちの一方の押し込み片に対向する位置に一端が貼着されて、前記本体部の平面視短辺方向に沿って配置され、該台紙が側面視Ｖ字状に変形された際に、前記一端が対向する前記手掛け穴の近傍位置に持ち上げられた状態となる書類が入った封筒状の袋と、
を備えたことを特徴とする梱包箱。
【請求項２】
前記台紙は、前記１組の押し込み片が相対向するように押し込まれた際に、前記１組の押し込み片のそれぞれの先端部が進入して内周面に各々当接された状態で、該１組の押し込み片によって内側方向へ押されて該台紙を側面視Ｖ字状に変形するための１組の開口部を有し、
前記袋の一端は、前記１組の開口部のうちのいずれか一方の開口部の前記外側フラップが連設された前記対向側板に対向する上側周縁部に貼着されて、該袋の他端側が前記一方の開口部から前記台紙の下面側へ挿通されて前記本体部の平面視短辺方向に沿って配置されたことを特徴とする請求項１に記載の梱包箱。
【請求項３】
前記台紙は、
前記１組の開口部の相互に対向する内側周縁部から直角上側へ折り曲げられて該１組の開口部を形成する１組の折り曲げ片を形成するための１組の折り曲げ片用切り込み線と、
前記１組の開口部間の中央部に該開口部に対して平行に全幅に渡って形成され、前記１組の押し込み片が相対向するように押し込まれた際に、Ｖ字状に谷折りするための谷折り線と、
前記１組の開口部の各々の外側に前記谷折り線に対して平行に全幅に渡って形成され、前記外側フラップが連設された前記対向側板に対向する端縁部が前記外側フラップに当接した際に、山折りするための１組の山折り線と、
を有し、
該台紙は、前記１組の折り曲げ片を直角上側へ折り曲げられた状態で前記被梱包物の上側に配置されることを特徴とする請求項２に記載の梱包箱。
【請求項４】
前記台紙は、前記１組の開口部間の中央部に形成された曲げ用開口部を有し、
前記谷折り線は、前記曲げ用開口部の外側に形成されていることを特徴とする請求項３に記載の梱包箱。
【請求項５】
前記台紙は、前記１組の折り曲げ片の各々の折り曲げ線の中央位置から、この折り曲げ線に対して直角に前記曲げ用開口部まで延出された１組の補強片用折り曲げ線に沿って直角上側へ折り曲げられる１組の補強片を形成するための１組の補強片用切り込み線を有し、
前記１組の補強片は、直角上側へ折り曲げられた場合には、直角上側へ折り曲げられた前記１組の折り曲げ片の前記開口部に対して反対側の面に当接されることを特徴とする請求項４に記載の梱包箱。
【請求項６】
前記台紙は、前記１組の外側フラップが連設された前記１組の対向側板に対向する両側縁部が、対向する対向側板の近傍位置若しくは当接する位置まで延出されていることを特徴とする請求項１乃至請求項５のいずれかに記載の梱包箱。
【請求項７】
前記台紙は、前記１組の内側フラップが連設された前記１組の対向側板に対向する両側縁部から、該両側縁部に対して対向配置される被梱包物又は対向側板の近傍位置若しくは当接する位置まで延出された少なくとも１組の延出部を有することを特徴とする請求項１乃至請求項６のいずれかに記載の梱包箱。
【請求項８】
前記書類は、保証書であることを特徴とする請求項１乃至請求項７のいずれかに記載の梱包箱。
【発明の詳細な説明】
【技術分野】
【０００１】
本発明は、梱包箱に関するものである。
【背景技術】
【０００２】
従来より、開封することなく保証書が入った袋を取り出して、再度収納可能に構成された梱包箱に関して種々提案されている。
例えば、２組の対向側板の上端に連設された２組の上蓋形成用フラップの内側および外側に位置する各一方の上蓋形成用フラップの互いに重なる一端部において、保証書が入っている袋を挟む位置にある外側の一方の上蓋形成用フラップには袋の幅よりも僅かに大きな幅で対向側板との連設線上に位置する折曲線で開閉する切り起こし片が形成されており、保証書が入っている袋を挟む位置にある内側の一方の上蓋形成用フラップの一端部には内端側において袋の幅よりも僅かに大きな幅の切り欠き部が形成されてあり、切り起こし片に連設した舌片を内側の一方の上蓋形成用フラップの押し込み片の回りの空間内に係合させるように構成した包装箱がある（例えば、特許文献１参照。）。
【先行技術文献】
【特許文献】
【０００３】
【特許文献１】特開２００８−７４４０６号公報
【発明の概要】
【発明が解決しようとする課題】
【０００４】
しかしながら、前記した特許文献１に記載された包装箱では、保証書が入っている袋の一端を包装箱の側面に貼り付けているため、袋の一部分が包装箱の外側に露出している。このため、包装箱の輸送、運搬中に、振動や衝撃によって、外側に露出した袋の一部分が他の包装箱と擦れ合って、当該袋の端が破れたり、剥がれたりするという問題がある。
【０００５】
そこで、本発明は、上述した問題点を解決するためになされたものであり、梱包箱の輸送、運搬中における書類の入った袋の損傷を確実に防止することができる梱包箱を提供することを目的とする。
【課題を解決するための手段】
【０００６】
前記目的を達成するため請求項１に係る梱包箱は、周囲が対向配置された２組の対向側板によって囲まれて少なくとも上面が開放され、内部に被梱包物を収容する平面視長方形の箱状の本体部と、前記２組の対向側板のうち、前記本体部の平面視長辺方向に対向する１組の対向側板の上端に連設されて先に折り曲げられる１組の内側フラップと、前記２組の対向側板のうち、前記本体部の平面視短辺方向に対向する１組の対向側板の上端に連設されて前記１組の内側フラップの上側に折り曲げられ、先端が突き合わされて該本体部の上面を覆う共に、突き合わされた先端を挟んで相対向するように押し込まれる１組の押し込み片を形成するための手掛け穴用切り込み線が各々に設けられた１組の外側フラップと、前記被梱包物の上方に配置されると共に、前記１組の押し込み片の下方に配置されて、該１組の押し込み片が押し込まれた際に、各押し込み片によって内側方向へ押されて側面視Ｖ字状に変形される台紙と、前記台紙の上側面の前記１組の押し込み片のうちの一方の押し込み片に対向する位置に一端が貼着されて、前記本体部の平面視短辺方向に沿って配置される書類が入った封筒状の袋と、を備え、前記１組の押し込み片を押し込むことによって前記１組の外側フラップに前記書類の幅よりも長い長穴状の１組の手掛け穴が形成されると共に、前記台紙が該１組の押し込み片によって内側方向へ押されて側面視Ｖ字状に変形されて、前記袋の一端が対向する前記手掛け穴の近傍位置に持ち上げられることを特徴とする。
【０００７】
また、請求項２に係る梱包箱は、請求項１に記載の梱包箱において、前記台紙は、各押し込み片の先端部が進入して内周面に各々当接される１組の開口部を有し、前記袋の一端は、前記１組の開口部のうちのいずれか一方の開口部の前記外側フラップが連設された前記対向側板に対向する上側周縁部に貼着されて、該袋の他端側が前記一方の開口部から前記台紙の下面側へ挿通されて前記本体部の平面視短辺方向に沿って配置され、前記１組の押し込み片を押し込むことによって、前記台紙の１組の開口部が該１組の押し込み片によって内側方向へ押されて該台紙が側面視Ｖ字状に変形されることを特徴とする。
【０００８】
また、請求項３に係る梱包箱は、請求項２に記載の梱包箱において、前記台紙は、前記１組の開口部の相互に対向する内側周縁部から直角上側へ折り曲げられて該１組の開口部を形成する折り曲げ片を形成するための１組の折り曲げ片用切り込み線と、前記１組の開口部間の中央部に該開口部に対して平行に全幅に渡って形成された谷折り線と、前記１組の開口部の各々の外側に前記谷折り線に対して平行に全幅に渡って形成された１組の山折り線と、を有し、該台紙は、前記１組の折り曲げ片を直角上側へ折り曲げた状態で前記被梱包物の上側に配置され、前記１組の押し込み片が押し込まれた場合には、前記谷折り線に沿ってＶ字状に谷折りされると共に、前記外側フラップが連設された前記対向側板に対向する端縁部が前記外側フラップに当接した場合には、前記山折り線に沿って山折りされることを特徴とする。
【０００９】
また、請求項４に係る梱包箱は、請求項３に記載の梱包箱において、前記台紙は、前記１組の開口部間の中央部に形成された曲げ用開口部を有し、前記谷折り線は、前記曲げ用開口部の外側に形成されていることを特徴とする。
【００１０】
また、請求項５に係る梱包箱は、請求項３又は請求項４に記載の梱包箱において、前記台紙は、前記１組の折り曲げ片の各々の折り曲げ線に沿って直角上側へ折り曲げられる補強片を形成するための１組の補強片用切り込み線を有し、前記１組の補強片は、直角上側へ折り曲げられた場合には、直角上側へ折り曲げられた前記１組の折り曲げ片の前記開口部に対して反対側の面に当接されることを特徴とする。
【００１１】
また、請求項６に係る梱包箱は、請求項１乃至請求項５のいずれかに記載の梱包箱において、前記台紙は、前記１組の外側フラップが連設された前記１組の対向側板に対向する両側縁部が、対向する対向側板の近傍位置若しくは当接する位置まで延出されていることを特徴とする。
【００１２】
また、請求項７に係る梱包箱は、請求項１乃至請求項６のいずれかに記載の梱包箱において、前記台紙は、前記１組の内側フラップが連設された前記１組の対向側板に対向する両側縁部から、該両側縁部に対して対向配置される被梱包物又は対向側板の近傍位置若しくは当接する位置まで延出された少なくとも１組の延出部を有することを特徴とする。
【００１３】
更に、請求項８に係る梱包箱は、請求項１乃至請求項７のいずれかに記載の梱包箱において、前記書類は、保証書であることを特徴とする。
【発明の効果】
【００１４】
請求項１に係る梱包箱では、書類の入った封筒状の袋は、台紙に一端が貼着されて本体部内に収納されるため、梱包箱の輸送、運搬中における書類及び書類の入った袋の損傷を確実に防止することができる。また、１組の外側フラップに形成された１組の押し込み片を押し込むことによって、台紙が側面視Ｖ字状に変形されて、袋の一端が対向する当該袋に入った書類の幅よりも長い手掛け穴の近傍位置に持ち上げられる。これにより、ユーザは、手掛け穴を介して袋から容易に書類を取り出して必要事項を記入することができる。尚、長穴状の手掛け穴が、袋の幅よりも長い場合には、ユーザは手掛け穴を介して袋を取り出して、書類に必要事項を記入することが可能となる。
【００１５】
また、請求項２に係る梱包箱では、袋の一端は、台紙に形成された一方の開口部の外側フラップが連設された対向側板に対向する上側周縁部に貼着されて、該袋の他端側が一方の開口部から台紙の下面側へ挿通されて本体部の平面視短辺方向に沿って配置されている。これにより、ユーザは１組の押し込み片を押し込んで、１組の開口部の内周面を押して台紙を側面視Ｖ字状に変形させても、袋はＶ字状に折り曲げられない。そのため、ユーザは手掛け穴を介して書類を袋からスムーズに取り出すことができる。
【００１６】
また、請求項３に係る梱包箱では、ユーザが１組の押し込み片を押し込んだ場合には、各押し込み片は、台紙の直角上側へ折り曲げられた各折り曲げ片によって各開口部内へ案内されるため、台紙を谷折り線に沿って確実に側面視Ｖ字状に変形させることができる。また、台紙の各外側フラップに連設する対向側板に対向する各端縁部が、各外側フラップに当接した場合には、各山折り線に沿って山折りされるため、台紙を側面視Ｖ字状にスムーズに変形させることができる。
【００１７】
また、請求項４に係る梱包箱では、台紙は、１組の開口部間の中央部に曲げ用開口部が形成されると共に、谷折り線は当該曲げ用開口部の外側に形成されている。これにより、台紙の谷折り線を短くすることができ、１組の押し込み片を小さな力で押し込んで、台紙を谷折り線に沿って容易に側面視Ｖ字状に変形させることができる。
【００１８】
また、請求項５に係る梱包箱では、台紙の１組の補強片は、直角上側へ折り曲げられた場合には、直角上側へ折り曲げられた１組の折り曲げ片の開口部に対して反対側の面に当接される。これにより、ユーザが１組の押し込み片を押し込んだ場合に、各押し込み片によって押される各折り曲げ片の倒れを防止することができ、台紙を谷折り線に沿って確実に側面視Ｖ字状に変形させることができる。
【００１９】
また、請求項６に係る梱包箱では、台紙の１組の外側フラップが連設された１組の対向側板に対向する両側縁部が、対向する対向側板の近傍位置若しくは当接する位置まで延出されている。これにより、梱包箱の輸送、搬送中における振動や衝撃によって、台紙が本体部の平面視短辺方向へ移動することを防止でき、１組の押し込み片を押し込んで、台紙を側面視Ｖ字状に確実に変形させることができる。
【００２０】
また、請求項７に係る梱包箱では、台紙の１組の内側フラップが連設された１組の対向側板に対向する両側縁部から、該両側縁部に対して対向配置される被梱包物又は対向側板の近傍位置若しくは当接する位置まで少なくとも１組の延出部が延出されている。これにより、梱包箱の輸送、搬送中における振動や衝撃によって、台紙が本体部の平面視長辺方向へ移動することを防止でき、１組の押し込み片を押し込んで、台紙を側面視Ｖ字状に更に確実に変形させることができる。
【００２１】
更に、請求項８に係る梱包箱では、保証書の入った封筒状の袋は、台紙に一端が貼着されて本体部内に収納されるため、梱包箱の輸送、運搬中における保証書の入った袋の損傷を確実に防止することができる。また、１組の外側フラップに形成された１組の押し込み片を押し込むことによって、台紙が側面視Ｖ字状に変形されて、袋の一端が対向する当該袋の幅よりも長い手掛け穴の近傍位置に持ち上げられる。これにより、ユーザは、手掛け穴を介して袋から容易に保証書を取り出して必要事項を記入することができる。
【図面の簡単な説明】
【００２２】
【図１】本実施形態に係る梱包箱の上面を開放した状態を示す斜視図である。
【図２】梱包箱の上面を封緘テープによって閉じた状態を示す斜視図である。
【図３】台紙の一例を示す平面図である。
【図４】図３の台紙の折り曲げ片を直角上側へ折り曲げた状態を示す斜視図である。
【図５】図３の台紙に書類が入った袋を取り付けた状態を示す斜視図である。
【図６】書類が入った袋を取り付けた台紙を梱包箱内に配置した状態を示す断面図である。
【図７】外側フラップの押し込み片を押し込んで台紙に当接させた状態を示す断面図である。
【図８】外側フラップの押し込み片を押し込んで台紙を略Ｖ字状に変形させた状態を示す断面図である。
【図９】外側フラップの押し込み片を押し込んで手掛け穴に指を押し込んだ状態を示す斜視図である。
【図１０】手掛け穴から袋に入った書類を引き出した状態を示す斜視図である。
【図１１】他の第１実施形態に係る台紙の一例を示す平面図である。
【図１２】図１１の台紙に書類の入った袋を取り付けて梱包箱内に配置した状態を示す斜視図である。
【図１３】他の第２実施形態に係る台紙の一例を示す平面図である。
【図１４】図１３の台紙の折り曲げ片及び補強片を直角上側へ折り曲げた状態を示す斜視図である。
【発明を実施するための形態】
【００２３】
以下、本発明に係る梱包箱について具体化した一実施形態に基づき図面を参照しつつ詳細に説明する。先ず、本実施形態に係る梱包箱１の概略構成について図１乃至図７に基づいて説明する。
【００２４】
図１及び図２に示すように、梱包箱１は、段ボール板を材料として作られ、平面視長方形の略直方体形状に組み立てられる。また、梱包箱１は、周囲が対向配置された２組の対向側板２Ａ、２Ｂ、３Ａ、３Ｂによって囲まれて、上面が開放された箱状の本体部５と、２組の対向側板２Ａ、２Ｂ、３Ａ、３Ｂのうち、短辺側の１組の対向側板２Ａ、２Ｂの上端に連設された１組の内側フラップ６Ａ、６Ｂと、長辺側の１組の対向側板３Ａ、３Ｂの上端に連設された１組の外側フラップ７Ａ、７Ｂとから構成されている。
【００２５】
また、図２に示すように、本体部５の上面を覆う場合には、１組の内側フラップ６Ａ、６Ｂが先に折り曲げられて、続いて、１組の外側フラップ７Ａ、７Ｂを折り曲げて、各外側フラップ７Ａ、７Ｂの先端部を突き合わせることによって、本体部５の上面が覆われる。そして、各外側フラップ７Ａ、７Ｂの突き合わせ部に沿って封緘テープ８を貼着することによって、本体部５の上面が閉じられるようになっている。
【００２６】
また、図１及び図２に示すように、１組の外側フラップ７Ａ、７Ｂの各々の長手方向中央部には、突き合わされた先端を挟んで相対向するように押し込まれる１組の各押し込み片９が形成されている。この１組の各押し込み片９を押し込むことによって、梱包箱１の上面部を片手で掴むことができる１組の各手掛け穴１１（図９参照）が形成される。
【００２７】
具体的には、各押し込み片９は、それぞれ、各外側フラップ７Ａ、７Ｂの封緘テープ８が貼着される部分よりも各対向側板３Ａ、３Ｂの上端との連設側の位置から、突き合わされた先端部に対して直角方向に、手の４本の指の幅よりもやや大きい間隔で互いに外側に突出する略半円弧状の２本の各切り込み線１２が相対向するように形成されている。また、２組の相対向する２本の各切り込み線１２の各対向側板３Ａ、３Ｂの上端側の端縁部は、それぞれ、各外側フラップ７Ａ、７Ｂの突き合わされた先端部に平行な各切り込み線１３によって繋がれている。
【００２８】
一方、２組の相対向する２本の各切り込み線１２の各外側フラップ７Ａ、７Ｂの突き合わされた先端部側の端縁部を繋ぐように、それぞれ、各外側フラップ７Ａ、７Ｂの突き合わされた先端部に平行な各折り曲げ線１５が形成されている。尚、図１及び図２に示すよう、初めの梱包状態では、２組の相対向する２本の各切り込み線１２の途中、及び、各切り込み線１３の途中は、複数カ所において繋がっており、完全に切り込まれていない。
【００２９】
また、図１及び図２に示すように、本体部５の上面が閉じられる前に、電子機器等(例えば、プリンタ装置、ファクシミリ装置、多機能の複合装置等である。）の被梱包物１６が、１組の対向側板２Ａ、２Ｂに対向する両端部分を発泡スチロール製等の各緩衝材１７によって、保護された状態で収納される。
【００３０】
ここで、各切り込み線１３と各折り曲げ線１５との各々の相対向する距離は、本体部５の上面が閉じられた場合に、各押し込み片９の内側面から被梱包物１６の上端部までの距離に略等しくなるように形成されている。従って、図７に示すように、各押し込み片９を押し込んで各手掛け穴１１を掴んだ場合には、各押し込み片９の先端は、被梱包物１６の上端部の近傍位置若しくは上端部に接する位置を通過して、更に奥側へ押し込まれる。
【００３１】
また、図１及び図２に示すように、本体部５の上面が閉じられる前に、各緩衝材１７によって挟まれた被梱包物１６の上側には、保証書等の書類１８が入った封筒状の袋１９の一端が貼着された平面視長方形の台紙２１が、本体部５の上面の長手方向中央部に載置される。また、台紙２１の長手方向は、本体部５の上面の長手方向に対して略直交するように配置されている。尚、保証書等の書類１８の幅は、手掛け穴１１の長手方向の長さよりも短い幅寸法に形成されている。
【００３２】
この台紙２１は、本体部５の長辺側の１組の対向側板３Ａ、３Ｂの各々に対向する短辺側の両側縁部２１Ａが、相対向する各対向側板３Ａ、３Ｂの近傍位置若しくは当接する位置まで延出されている。また、台紙２１は、本体部５の短辺側の１組の対向側板２Ａ、２Ｂの各々に対向する長辺側の両側縁部２１Ｂが、各緩衝材１７と所定隙間を形成して離間している。
【００３３】
ここで、保証書等の書類１８が入った封筒状の袋１９の一端が貼着された台紙２１の構成について図３乃至図６に基づいて説明する。
図３、図４及び図６に示すように、平面視長方形の台紙２１は、本体部５の上面が閉じられた場合に、各押し込み片９を形成する１組の各折り曲げ線１５に対向する位置に、直角上側に折り曲げられる１組の各折り曲げ片２２が形成されている。
【００３４】
具体的には、各折り曲げ片２２は、それぞれ、本体部５の上面が閉じられた場合に、各折り曲げ線１５に対向する位置に、各折り曲げ線１５よりも少し長い１組の各折り曲げ線２３が短辺方向に沿って形成されている。１組の各折り曲げ線２３は、それぞれ台紙２１の短辺方向の略中央部に設けられている。
【００３５】
また、１組の各折り曲げ線２３の各々の両端部から直角に長辺方向外側へ２本の各切り込み線２５が形成されている。各切り込み線２５の長さは、本体部５の上面が閉じられた場合に、各押し込み片９の内側面から被梱包物１６の上端部までの距離に略等しくなるように形成されている。また、２組の相対向する２本の各切り込み線２５の長辺方向外側の端部は、それぞれ各切り込み線２６によって繋がれている。
【００３６】
従って、図４に示すように、各折り曲げ片２２を直角上側に折り曲げた場合には、手掛け穴１１の長さよりも少し長い長方形の１組の各開口部２７が形成される。そして、図６に示すように、台紙２１を被梱包物１６の上側に載置して、本体部５の上面を閉じた場合には、各押し込み片９を形成する１組の各折り曲げ線１５の近傍位置又はほぼ接する位置に、各折り曲げ片２２の上側の先端が位置している。
【００３７】
また、図３及び図４に示すように、台紙２１の長辺方向中央部には、短辺方向に長い細長四角形の曲げ用開口部２８が、各折り曲げ線２３とほぼ同じ長さで形成されている。また、台紙２１を側面視Ｖ字状に折り曲げるための２本の各谷折り線３１が、曲げ用開口部２８の長手方向両端の各々の中央位置から短辺方向外側の各側縁部２１Ｂまで形成されている（図８参照）。この２本の各谷折り線３１は、短辺方向の同一直線上に位置するように設けられている。
【００３８】
また、図３に示すように、台紙２１の各切り込み線２６に対して長辺方向両外側には、１組の各山折り線３２が、短辺方向全幅に渡って形成されている。この１組の各山折り線３２は、２本の各谷折り線３１が位置する直線に対して対称な位置に設けられている。また、各山折り線３２は、台紙２１が側面視Ｖ字状に折り曲げられた場合に、各手掛け穴１１の各対向側板３Ａ、３Ｂ側の周縁部に当接するように設けられている（図８参照）。
【００３９】
また、図５及び図６に示すように、保証書等の書類１８が入った袋１９の一端１９Ａは、１組の各開口部２７のうちの一方の開口部２７（図５中、左側の開口部２７である。）の長辺方向外側の上側周縁部、つまり、対向側板３Ｂに対向する上側周縁部に、両面テープや糊等により貼着されている。また、一端１９Ａが貼着された袋１９は、当該一方の開口部２７から台紙２１の下面側へ挿通されて長辺方向に沿って配置されている。
【００４０】
また、保証書等の書類１８の一端１９Ａ側の端縁部は、指で摘むことができる長さの部分が、袋１９から露出した状態で当該袋１９に入っている。（例えば、書類１８の一端１９Ａ側の端縁部が、袋１９から長さ２ｃｍ程度、露出している。）また、この保証書等の書類１８の幅は、手掛け穴１１の長さよりも短い幅寸法に形成されている。
【００４１】
次に、被梱包物１６の販売時等において、封緘テープ８によって本体部５の上面が閉じられた梱包箱１から、この梱包箱１内に収納された保証書等の書類１８を取り出す方法について図７乃至図１０に基づいて説明する。
【００４２】
図７及び図９に示すように、先ず、ユーザは、各押し込み片９の２組の相対向するように設けられた各切り込み線１２の途中の繋がり、及び、１組の各切り込み線１３の途中の繋がりを切断する。その後、ユーザは、この状態で各押し込み片９を指で押し込んで、１組の各手掛け穴１１を形成する。そして、ユーザは、各手掛け穴１１から更に指を押し込んで、各押し込み片９の先端を台紙２１の各開口部２７の内周面及び各折り曲げ片２２の基端部に当接させる。
【００４３】
続いて、図８及び図９に示すように、ユーザは、各押し込み片９の先端を台紙２１の各開口部２７の内周面及び各折り曲げ片２２の基端部に当接させた状態で、更に、各押し込み片９を指で押し込む。そして、ユーザは、台紙２１の長辺方向中央部を各谷折り線３１に沿って側面視Ｖ字状に変形させる。また同時に、ユーザは、各外側フラップ７Ａ、７Ｂの内側に当接した台紙２１の長辺方向両端部を、各山折り線３２に沿って下側方向へ変形させて、当該各山折り線３２を各手掛け穴１１の各対向側板３Ａ、３Ｂ側の周縁部に当接させる。
【００４４】
これにより、図８及び図１０に示すように、袋１９の一端１９Ａが、相対向する外側フラップ７Ｂの手掛け穴１１の近傍位置まで持ち上げられる。従って、ユーザは、手掛け穴１１から袋１９の一端１９Ａ側に露出する保証書等の書類１８を摘んで、外側方向へ引き出して、梱包箱１から取り出すことができる。そして、ユーザは、保証書等の書類１８に必要事項（例えば、販売店名や日付等である。）を記入することができる。また、ユーザ等は、１組の各手掛け穴１１を封緘テープ８の上側から掴んで、梱包箱１を搬送することができる。
【００４５】
ここで、２組の各々相対向する各切り込み線１２と１組の各切り込み線１３は、手掛け穴用切り込み線の一例として機能する。また、２組の各々相対向する各切り込み線２５と１組の各切り込み線２６は、折り曲げ片用切り込み線の一例として機能する。
【００４６】
以上詳細に説明した通り、本実施形態に係る梱包箱１では、保証書等の書類１８の入った封筒状の袋１９は、台紙２１に一端１９Ａが貼着されて本体部５内に収納されるため、梱包箱１の輸送、運搬中における書類１８及び書類１８の入った袋１９の損傷を確実に防止することができる。また、１組の外側フラップ７Ａ、７Ｂに形成された１組の各押し込み片９を押し込むことによって、台紙２１が側面視Ｖ字状に変形されて、袋１９の一端１９Ａが対向する当該袋１９に入った書類１８の幅よりも長い手掛け穴１１の近傍位置に持ち上げられる。
【００４７】
これにより、ユーザは、手掛け穴１１を介して袋１９から容易に保証書等の書類１８を取り出すことができる。そして、ユーザは、書類１８に必要事項（例えば、販売店名や日付等である。）を記入して、被梱包物１６の購入者等に渡すことができる。尚、長穴状の手掛け穴１１が、袋１９の幅よりも長い場合には、ユーザは手掛け穴１１を介して袋１９の一端１９Ａを台紙２１から剥ぎ取って、梱包箱１から取り出すことが可能となる。そして、書類１８に必要事項を記入した後、書類１８を袋１９に再度入れて、手掛け穴１１から梱包箱１内に再収納することも可能となる。
【００４８】
また、袋１９の一端１９Ａは、台紙２１に形成された１組の各開口部２７のうち、一方の開口部２７の対向側板３Ｂに対向する上側周縁部に貼着されている。また、当該袋１９は、この一方の開口部２７から台紙２１の下面側へ挿通されて本体部５の平面視短辺方向に沿って配置されている。これにより、ユーザが１組の各押し込み片９を押し込んで、１組の各開口部２７の内周面及び１組の各折り曲げ片２２の基端部を押して台紙２１を側面視Ｖ字状に変形させても、袋１９はＶ字状に折り曲げられない。そのため、ユーザは手掛け穴１１を介して書類１８を袋１９からスムーズに取り出すことができる。
【００４９】
また、ユーザが１組の各押し込み片９を押し込んだ場合には、各押し込み片９は、台紙２１の直角上側へ折り曲げられた各折り曲げ片２２によって相対向する各開口部２７内へ案内されるため、台紙２１を各谷折り線３１に沿って確実に側面視Ｖ字状に変形させることができる。また、台紙２１の短辺側の両側縁部２１Ａが、各外側フラップ７Ａ、７Ｂに当接した場合には、各山折り線３２に沿って山折りされるため、台紙２１を側面視Ｖ字状にスムーズに変形させることができる。
【００５０】
また、台紙２１は、１組の各開口部２７の間の中央部に、短辺方向に長い細長四角形の曲げ用開口部２８が形成されると共に、各谷折り線３１は当該曲げ用開口部２８の長手方向両端の各々の中央位置から短辺方向外側の各側縁部２１Ｂまで形成されている。これにより、台紙２１の各谷折り線３１を短くすることができ、１組の各押し込み片９を小さな力で押し込んで、台紙２１を各谷折り線３１に沿って容易に側面視Ｖ字状に変形させることができる。
【００５１】
また、台紙２１の１組の各対向側板３Ａ、３Ｂに対向する両側縁部２１Ａが、対向する各対向側板３Ａ、３Ｂの近傍位置若しくは当接する位置まで延出されている。これにより、梱包箱１の輸送、搬送中における振動や衝撃によって、台紙２１が本体部５の平面視短辺方向へ移動することを防止でき、１組の各押し込み片９を相対向する各開口部２７へ確実に押し込んで、台紙２１を側面視Ｖ字状に変形させることができる。
【００５２】
尚、本発明は前記実施形態に限定されることはなく、本発明の要旨を逸脱しない範囲内で種々の改良、変形が可能であることは勿論である。例えば、以下のようにしてもよい。また、以下の説明において、上記図１乃至図１０に示す前記実施形態に係る梱包箱１の構成等と同一符号は、該前記実施形態に係る梱包箱１の構成等と同一あるいは相当部分を示すものである。
【００５３】
［他の第１実施形態］
（Ａ）先ず、他の第１実施形態に係る台紙４１について図１１及び図１２に基づいて説明する。図１１及び図１２に示すように、他の第１実施形態に係る台紙４１の概略構成は、前記実施形態に係る台紙２１の構成とほぼ同じ構成である。但し、台紙４１は、本体部５の短辺側の各対向側板２Ａ、２Ｂに対向する両側縁部２１Ｂに、２組の各延出部４２Ａ、４２Ｂ、４２Ｃ、４２Ｄが形成されている。
【００５４】
２組の各延出部４２Ａ、４２Ｂ、４２Ｃ、４２Ｄは、台紙４１の各対向側板２Ａ、２Ｂに対向する両側縁部２１Ｂから、各谷折り線３１及び各山折り線３２を中心に挟んで、各々の間に曲げ用開口部２８の幅とほぼ同じ幅の隙間を形成しつつ、対向配置される被梱包物としての各緩衝材１７の近傍位置若しくは当接する位置まで延出されている。
【００５５】
従って、他の第１実施形態に係る台紙４１を梱包箱１内の被梱包物１６の上側に載置することによって、前記実施形態に係る梱包箱１の効果に加えて、梱包箱１の輸送、搬送中における振動や衝撃によって、台紙４１が本体部５の平面視長辺方向へ移動することを確実に防止できる。これにより、ユーザは１組の各押し込み片９を押し込んで、台紙４１を側面視Ｖ字状に更に確実に変形させることができる。
【００５６】
［他の第２実施形態］
（Ｂ）次に、他の第２実施形態に係る台紙５１について図１３及び図１４に基づいて説明する。図１３及び図１４に示すように、他の第２実施形態に係る台紙５１の概略構成は、前記実施形態に係る台紙２１の構成とほぼ同じ構成である。但し、台紙５１には、１組の各補強片５２と、１組の各支持片５３が形成されている。
【００５７】
具体的には、１組の各補強片５２は、１組の各折り曲げ片２２の各折り曲げ線２３の中央位置から、この折り曲げ線２３に対して直角に曲げ用開口部２８まで延出された１組の各折り曲げ線５５が形成されている。また、１組の各切り込み線５６が、１組の各折り曲げ片２２の各切り込み線２５に等しい長さで、それぞれ、各折り曲げ線２３の中央位置から、折り曲げ線２３に沿って互いに反対側の側縁部２１Ｂに向かって形成されている。
【００５８】
また、１組の各切り込み線５７が、各切り込み線５６の折り曲げ線５５に対して反対側の端部から、各切り込み線５６に対して直角に曲げ用開口部２８まで形成されている。ここで、１組の各切り込み線５６と１組の各切り込み線５７は、補強用切り込み線の一例として機能する。
【００５９】
また、１組の各支持片５３は、それぞれ、各折り曲げ片２２の中央部に、１組の各折り曲げ線５８が、各切り込み線２５の約半分の長さで、各折り曲げ線５５と同一線上に位置するように形成されている。また、１組の各折り曲げ線５８のそれぞれの両端部から直角に、隣接する補強片５２に対して反対側へ２本の各切り込み線５９が、それぞれ形成されている。各切り込み線５９の長さは、折り曲げ線５８とほぼ同じ長さに形成されている。また、２組の相対向する２本の各切り込み線５９の折り曲げ線５８に対して反対側の端部は、それぞれ各切り込み線６１によって繋がれている。
【００６０】
従って、図１４に示すように、先ず、１組の各補強片５２を直角上側に折り曲げる。そして、１組の各折り曲げ片２２の中央部に設けられた各支持片５３を直角上側に折り曲げた後に、各折り曲げ片２２を直角上側に折り曲げる。これにより、直角上側に折り曲げられた各補強片５２の側面部が、直角上側に折り曲げられた各折り曲げ片２２の各開口部２７に対して反対側の面に当接される。また同時に、各支持片５３が、各補強片５２の切り起こされた切欠部側の面に当接される。尚、各支持片５３を両面テープや糊等で各補強片５２に貼着するようにしてもよい。
【００６１】
これにより、他の第２実施形態に係る台紙５１を梱包箱１内の被梱包物１６の上側に載置することによって、前記実施形態に係る梱包箱１の効果に加えて、ユーザが１組の各押し込み片９を押し込んだ場合に、各押し込み片９によって押される１組の各折り曲げ片２２の曲げ用開口部２８側への倒れを防止することができ、台紙５１を各谷折り線３１に沿って確実に側面視Ｖ字状に変形させることができる。
【００６２】
［他の第３実施形態］
（Ｃ）また、例えば、台紙２１の曲げ用開口部２８を形成しないようにしてもよい。そして、台紙２１の谷折り線３１を全幅に渡って形成するようにしてもよい。これにより、前記実施形態に係る梱包箱１の効果を奏することができる。
【符号の説明】
【００６３】
１      梱包箱
２Ａ、２Ｂ、３Ａ、３Ｂ      対向側板
５      本体部
６Ａ、６Ｂ      内側フラップ
７Ａ、７Ｂ      外側フラップ
９      押し込み片
１１      手掛け穴
１２、１３、２５、２６、５６、５７、５９、６１      切り込み線
１５、２３、５５、５８      折り曲げ線
１６      被梱包物
１７      緩衝材
１８      書類
１９      袋
２１、４１、５１      台紙
２２      折り曲げ片
２７      開口部
２８      曲げ用開口部
３１      谷折り線
３２      山折り線
４２Ａ、４２Ｂ、４２Ｃ、４２Ｄ      延出部
５２      補強片
５３      支持片
【図１】
0005987416.tif 000002
【図２】
0005987416.tif 000003
【図３】
0005987416.tif 000004
【図４】
0005987416.tif 000005
【図５】
0005987416.tif 000006
【図６】
0005987416.tif 000007
【図７】
0005987416.tif 000008
【図８】
0005987416.tif 000009
【図９】
0005987416.tif 000010
【図１０】
0005987416.tif 000011
【図１１】
0005987416.tif 000012
【図１２】
0005987416.tif 000013
【図１３】
0005987416.tif 000014
【図１４】
0005987416.tif 000015